(57)【要約】【課題】外側コネクタと内側コネクタとの間のガタ付きを別部品を用いることなく抑制できると共に、これらコネクタの嵌合に要する力を少なくできるコネクタを提供する。【解決手段】外側コネクタ３の中に内側コネクタ２を挿入し、内側コネクタ２に設けられた係合部２４と、外側コネクタ３に設けられた係合受部３１とを係合させることで、外側コネクタ３と、内側コネクタ２とを嵌合保持するコネクタについて、内側コネクタ２の外側面２０ｃに、可撓性を有する付勢アーム２６を設け、外側コネクタ３と内側コネクタ２とを嵌合した際に、付勢アーム２６先端が外側コネクタの正面３０ａに当接し、外側コネクタを挿入方向と逆向きに付勢保持する。【選択図】図４
2011175858.tif 000002
【特許請求の範囲】
【請求項１】
外側コネクタの中に内側コネクタを挿入し、該内側コネクタに設けられた係合部と、該外側コネクタに設けられた係合受部とを係合させることで、該外側コネクタと、該内側コネクタとを嵌合保持するコネクタであって、
前記内側コネクタの外側面に、可撓性を有する付勢アームを備え、
該外側コネクタと該内側コネクタとを嵌合した際に、該付勢アーム先端が外側コネクタの正面に当接し、該外側コネクタを挿入方向と逆向きに付勢保持することを特徴とするコネクタ。
【請求項２】
請求項１記載のコネクタであって、
前記内側コネクタに前記係合部と前記係合受部との係合を解除する解除操作部と、
前記内側コネクタの前記外側面に該解除操作部を囲むように立設されるブラケット部とを備え、
前記付勢アームが該ブラケット部から該外側面側へ垂下されたことを特徴とするコネクタ。
【発明の詳細な説明】
【技術分野】
【０００１】
本発明は、一対のコネクタ間のガタ付きを少なくすることにより端子接点部の摩耗を抑制可能な防振型のコネクタに関する。
【背景技術】
【０００２】
この種の従来のコネクタとして、特許文献１に開示されたものが提案されている。このコネクタ１００は、図５に示すように、雄コネクタ１０１と、この雄コネクタ１０１と嵌合する雌コネクタ１０２とを備えている。雌コネクタ１０２の雌コネクタハウジング１０３の外周面には、断面山形をなす複数のリブ１０４が形成され、雄コネクタ１０１の雄コネクタハウジング１０５の内周面には、断面台形をなし、リブ１０４が嵌合する複数の嵌合溝１０６が形成されている。
【０００３】
上記構成によれば、雄コネクタ１０１を雌コネクタ１０２に挿入するとき、雌コネクタハウジング１０３外周面のリブ１０４が雄コネクタハウジング１０５内周面の嵌合溝１０６に嵌合して、リブ１０４の両裾部と嵌合溝１０６の開口縁が互いに潰し合う状態でコネクタハウジング１０３、１０５が嵌合接続される。これにより、雄コネクタ１０１と雌コネクタ１０２との間のガタ付きを抑制することができるので、これらのコネクタ１０１，１０２に設けられる端子接点部の摩耗を抑制可能である。
【０００４】
また、他の従来のコネクタとして、特許文献２に開示されたものがある。このコネクタ１１０は、図６に示すように、雄コネクタ１１１と、この雄コネクタ１１１と嵌合する雌コネクタ１１２と、雌コネクタハウジング１１３の外周側に装着され、ハウジング１１３を雄コネクタハウジング１１４に対して弾性的に押し付けるクリップ１１５とを備えている。
【０００５】
上記構成によれば、雄コネクタ１１１に雌コネクタ１１２を嵌合するとともに、雌コネクタハウジング１１３の外周側にクリップ１１５を装着してハウジング１１３を雄コネクタハウジング１１４に対して弾性的に押し付ける。これによって、一対の雄コネクタ１１１と雌コネクタ１１２との間のガタ付きを抑制することができるので、これらのコネクタ１１１，１１２に設けられる端子接点部の摩耗を抑制可能である。
【先行技術文献】
【特許文献】
【０００６】
【特許文献１】特開２００８−１６６０４６号公報
【特許文献２】特開２００９−４２９０号公報
【発明の概要】
【発明が解決しようとする課題】
【０００７】
ところで、前述した従来のコネクタ１００では、雄コネクタ１０１を雌コネクタ１０２に挿入するとき、雌コネクタハウジング１０３外周面のリブ１０４が雄コネクタハウジング１０５内周面の嵌合溝１０６に嵌合して互いに潰し合うので、雄コネクタ１０１を雌コネクタ１０２に嵌合するのに大きな挿入力が必要であるいう問題があった。
【０００８】
また、前述した従来のコネクタ１１０では、一対の雄コネクタ１１１と雌コネクタ１１２との間のガタ付きを抑制するため、別部品であるクリップ１１５を有し、部品コストや組立時の手間が増加するという問題があった。
【０００９】
本発明は、上記事情を考慮し、互いに嵌合した雌コネクタと雄コネクタとの間のガタ付きを別部品を用いることなく抑制することができると共に、雌コネクタと雄コネクタを嵌合する際の挿入力を少なくできるコネクタを提供することを目的とする。
【課題を解決するための手段】
【００１０】
請求項１の発明は、外側コネクタの中に内側コネクタを挿入し、該内側コネクタに設けられた係合部と、該外側コネクタに設けられた係合受部とを係合させることで、該外側コネクタと、該内側コネクタとを嵌合保持するコネクタであって、前記内側コネクタの外側面に、可撓性を有する付勢アームを備え、該外側コネクタと該内側コネクタとを嵌合した際に、該付勢アーム先端が外側コネクタの正面に当接し、該外側コネクタを挿入方向と逆向きに付勢保持することを特徴としている。
【００１１】
請求項２の発明は、請求項１記載のコネクタであって、前記内側コネクタに前記係合部と前記係合受部との係合を解除する解除操作部と、前記内側コネクタの前記外側面に該解除操作部を囲むように立設されるブラケット部とを備え、前記付勢アームが該ブラケット部から該外側面側へ垂下されたことを特徴としている。
【発明の効果】
【００１２】
請求項１の発明によれば、外側コネクタと内側コネクタとを互いに嵌合した際に、内側コネクタと一体的に備えられる付勢アームが撓みつつ外側コネクタの正面に当接し、挿入方向と逆向きに付勢することで、係合部と係合受部との係合のガタ付きが無くなるため、外側コネクタと内側コネクタとの間のガタ付きを吸収できる。これにより、外側コネクタと内側コネクタとの間のガタ付きを抑制するために、別部品を用いる必要がない。また、上記のように外側コネクタと内側コネクタの嵌合時に付勢アームにより雄コネクタを付勢するようにしたので、従来のように雄コネクタ外周面のリブが雌コネクタ内周面の嵌合溝に嵌合して互いに潰し合う場合と比べて、雌コネクタに雄コネクタを嵌合する際の挿入力を少なくすることができる。
【００１３】
請求項２の発明によれば、ブラケット部を内側コネクタの外側面に解除操作部を囲むように立設したことで、不用意に解除操作部が操作されて、係合部と係合受部との係合が解除されることが防止される。また、付勢アームがブラケット部から内側コネクタの外側面側へ垂下されたことで、嵌合作業中に付勢アームの先端を引っ掛けて、破損することを防止できる。
【図面の簡単な説明】
【００１４】
【図１】本発明の一実施形態を示し、雌コネクタを示す斜視図である。
【図２】本発明の一実施形態を示し、雌コネクタを示す断面図である。
【図３】本発明の一実施形態を示し、雌コネクタと雄コネクタが互いに嵌合した状態を示す平面図である。
【図４】本発明の一実施形態を示し、図３のIV−IV線に沿う断面図である。
【図５】従来のコネクタを示す断面図である。
【図６】従来の他のコネクタを示す分解斜視図である。
【発明を実施するための形態】
【００１５】
以下、本発明の実施形態を図面を参照して説明する。図１〜図４は本発明の一実施形態を示し、図１は雌コネクタを示す斜視図、図２は雌コネクタを示す断面図、図３は雌コネクタと雄コネクタが互いに嵌合した状態を示す平面図、図４は図３のIV−IV線に沿う断面図である。なお、図２は雌コネクタの付勢アームを通る線に沿う断面図であり、図４においてＡ部分は雌コネクタと雄コネクタの幅方向の中心線に沿う断面図、Ｂ部分は雌コネクタの付勢アームを通る線に沿う断面図である。
【００１６】
本実施形態のコネクタ１は、内側コネクタである雌コネクタ２と、箱形状を有し、この雌コネクタ２が挿入、嵌合される外側コネクタである雄コネクタ３とから主として構成されている。
【００１７】
雌コネクタ２は、合成樹脂からなる雌コネクタハウジング２０を有している。この雌コネクタハウジング２０は、雄コネクタ３の挿入方向に延設され、複数の雌型端子金具をそれぞれ収容する端子収容室２１を内蔵し、雌コネクタハウジング２０の正面２０ａ側（図２の左側）に、後述する雄型端子３２がそれぞれ挿入される複数の端子挿入口２２が形成されている。端子収容室２１は、雌コネクタハウジング２０の幅方向に並設されると共に、雌コネクタハウジング２０の高さ方向へ２段に積層されている。
【００１８】
雌コネクタハウジング２０は、正面２０ａの上部から突出して、外側面２０ｃの幅方向の中心線に沿って雄コネクタ３の挿入方向へアーム状に延設されるロック部材２３を備えている。このロック部材２３は、可動端側に上方へ突出する爪部（係合部）２４を備えると共に、雌コネクタハウジング２０の上下方向に可撓性を有している。爪部２４の後端２４ｂ（図４の左側）は山型の裾野状に傾斜すると共に、爪部２４の前端２４ａ（図４の右側）はロック部材２３の延設方向に対してほぼ直角に形成されている。これにより、雌コネクタ２と雄コネクタ３の嵌合時に、ロック部材２３の爪部２４が後述する雄コネクタハウジング３０の係止溝（係合受部）３１に係止され、爪部２４の前端２４ａが係止溝３１の端部に突き当たるので、雌コネクタ２から雄コネクタ３が離脱する方向（図４の左方向）への移動が阻止される。また、ロック部材２３の可動端端部には、解除操作部２８を備え、解除操作部２８を下方に押下げることで、爪部２４と係止溝３１との係合が解除される。
【００１９】
雌コネクタハウジング２０には、外側面２０ｃの背面２０ｂ側の上部近傍から解除操作部２８を囲むように上方に突出するブラケット部２５と、このブラケット部２５より雌コネクタハウジング２０の高さ方向に垂下される左右一対の付勢アーム２６が設けられている。各付勢アーム２６は雌コネクタハウジング２０の前後方向に可撓性を有し、各付勢アーム２６の可動端に、雄コネクタ３の後述する正面３０ａに当接する付勢突起２７が設けられている。なお、左右一対の付勢アーム２６は、ロック部材２３を間に挟むように、雌コネクタハウジング２０の幅方向の中心線より左右両側へ所定距離、ずれた位置にそれぞれ設けられている。
【００２０】
雄コネクタ３は、合成樹脂からなり、箱状に形成されて正面３０ａ側に開口する雄コネクタハウジング３０を有している。この雄コネクタハウジング３０は、上側内面に前記ロック部材２３の爪部２４が係止される係止溝３１が形成されると共に、雄コネクタハウジング３０の背面３０ｂより雄型端子３２の一端側が外部へ突出し、雄型端子３２の他端側が端子挿入口２２を介して端子収容室２１に挿入されている。
【００２１】
上記構成において、雄コネクタ３に雌コネクタ２を挿入する際に、雌コネクタハウジング２０のロック部材２３の爪部２４が雄コネクタハウジング３０の上側内面が当接することで、ロック部材２３が図４の下方に撓むと共に、雌コネクタハウジング２０内に端子挿入口２２を介して相手側の雄型端子３２が挿入される。
【００２２】
次いで、図３、図４に示すように、雄コネクタ３に雌コネクタ２を移動端部まで挿入したとき、雄型端子３２が端子収容室２１内の雌型端子金具に接続されるので、雌コネクタ２と雄コネクタ３との間で電気的接続が行なわれる。また、ロック部材２３が下方へ撓んでいた状態から図４の上方へ回動して爪部２４が雄コネクタハウジング３０の係止溝３１に係止されるので、雌コネクタ２から雄コネクタ３が離脱する方向への移動が阻止されることにより、雌コネクタ２に雄コネクタ３が嵌合した状態が保持される。同時に、雄コネクタハウジング３０の正面３０ａに左右一対の付勢アーム２６の付勢突起２７が当接することにより、付勢アーム２６が撓んで図４の反時計方向に回動し、反発力で雄コネクタ３が挿入方向と逆向きに付勢される。
【００２３】
以上のように、本実施形態のコネクタ１によれば、雌コネクタ２と雄コネクタ３の嵌合時に、雌コネクタ２と一体的に備えられる付勢アーム２６が撓みつつコネクタ３を付勢することから、互いに嵌合した雌コネクタ２と雄コネクタ３との間のガタ付きを吸収し、雄型端子３２などの微動擦動磨耗による抵抗上昇を防ぐことができる。これによって、雌コネクタ２と雄コネクタ３との間のガタ付きを抑制するために、別部品を用いる必要がなくて済み、部品コストや組立時の手間を少なくすることができる。
【００２４】
また、上記構成によれば、上記のように雌コネクタ２と雄コネクタ３の嵌合時に付勢アーム２６により雄コネクタ３を付勢するようにしたので、従来のように雄コネクタ外周面のリブが雌コネクタ内面の嵌合溝に嵌合して互いに潰し合う場合と比べて、雌コネクタ２に雄コネクタ３を嵌合する際の挿入力を少なくすることができると共に、雌コネクタ２と雄コネクタ３の再嵌合を数回繰り返して行なうことも可能である。
【００２５】
また、上記構成によれば、雌コネクタ２と雄コネクタ３が嵌合した状態をロック部材２３が保持すると共に、雌コネクタ２に備えられる付勢アーム２６の付勢突起２７が雄コネクタの３の正面３０ａに当接し、付勢アーム２６が撓んで反発力で雄コネクタ３を挿入方向と逆向きに付勢するので、ロック部材２３と付勢アーム２６により雌コネクタ２と雄コネクタ３との間のガタ付きを確実に抑制することができる。
【００２６】
加えて、ブラケット部２５を雌コネクタハウジング２０の外側面２０ｃに解除操作部２８を囲むように立設したことで、不用意に解除操作部２８が操作されて、ロック部材２３の爪部２４と係止溝３１との係合が解除されることが防止される。
【００２７】
また、付勢アーム２６がブラケット部２５から雌コネクタハウジング２０の外側面２０ｃ側へ垂下されたことで、嵌合作業等で付勢アーム２６の付勢突起２７を引っ掛けて、破損することを防止できる。
【符号の説明】
【００２８】
１…コネクタ
２…雌コネクタ（内側コネクタ）
３…雄コネクタ（外側コネクタ）
２０ｃ…外側面
２４…係合部
２５…ブラケット部
２６…付勢アーム
２８…解除操作部
３０ａ…正面
３１…係合受部
【図１】
2011175858.tif 000003
【図２】
2011175858.tif 000004
【図３】
2011175858.tif 000005
【図４】
2011175858.tif 000006
【図５】
2011175858.tif 000007
【図６】
2011175858.tif 000008